(57)【要約】本発明は、天窓または屋根窓のフレーム構造または屋根の突き出た建造物に用いられる、適応自在なコーナーセグメントを備えた雨押さえ部材に関する。シート状の雨押さえ部材はシート状部分（４０）と第１および第２コーナーセグメント（２０，３０）とを備えている。前記コーナーセグメントの少なくとも一つはその表面に、パターンを示す少なくとも一つのしるし（２２，３１，３４，３８）、視認可能なしるし、あるいは弱くされた部分を有しており、これにより、シート状部分の少なくとも一部分がしるしに沿って雨押さえ部材の他の部分から分離され得る。このことは、例えば窓と窓を取り囲む屋根との間および２つの隣り合う窓の間のいずれに用いられるかといった、コーナーセグメントの２つの異なる構成を選択することによって、コーナーセグメントの適応を可能にする。
2006509936.tif 000002
【特許請求の範囲】
【請求項１】
平面を形成し第１コーナーセグメント（２０）および第２コーナーセグメント（３０）を有するシート状部分（４０）と、
シート状部分の平面に対して傾斜して配置され、屋根の突き出た建造物の表面と係合するようになされる少なくとも一つのフランジ（１１，２１）と、を備えたシート状雨押さえ部材（１）であって、
前記コーナーセグメントの少なくとも一つが、その表面に、パターンを表示する少なくとも一つのしるし（２２，３２，３４，３８）を有し、シート状部分の少なくとも一部分がしるしに沿って雨押さえ部材の他の部分から分離され得り、これにより、各コーナーセグメントを最初の状態から変形状態へ変形させるようになっていることを特徴とするシート状雨押さえ部材。
【請求項２】
前記しるし（２２，３２，３４，３８）の各々が、少なくとも一つの細長く延びる線、あるいは細長く延びる点、短い線等の列の形式をとった視認可能なしるしを有することを特徴とする請求項１に記載のシート状雨押さえ部材。
【請求項３】
前記しるし（２２，３２，３４，３８）の各々が、弱められた部分を有することを特徴とする請求項１に記載のシート状雨押さえ部材。
【請求項４】
前記弱められた部分は少なくとも一つの溝を含むことを特徴とする請求項３に記載のシート状雨押さえ部材。
【請求項５】
前記溝がくぼみによって形成されることを特徴とする請求項４に記載のシート状雨押さえ部材。
【請求項６】
前記弱められた部分は、コーナーセグメント（２０，３０）内に設置され細長く延びるひも状部材を有することを特徴とする請求項３に記載のシート状雨押さえ部材。
【請求項７】
パターンが、端部部分（２０，３０）の領域（２６，３７）を区画する一つ以上のしるしを形成し、これにより、分離が行われる場合に端部部分（２０，３０）が取り除かれ得ることを特徴とする請求項１乃至６のいずれか一項に記載のシート状雨押さえ部材。
【請求項８】
シート状部分（４０）は全体的な長手方向を有し、パターンがこの全体的な長手方向に対して斜めに配置された少なくとも一つのしるし（３８）を形成し、傾斜したしるしはシート状部分の自由縁部（３３，３５）に直接的にまたは間接的に接続されていることを特徴とする請求項１乃至７のいずれか一項に記載のシート状雨押さえ部材。
【請求項９】
シート状部分（４０）は主部分（１０）を有し、第１および第２端部部分は第１および第２コーナーセグメント（２０，３０）を形成し、主部分は上方に立ち上がるフランジ（１１）を有し、第１および第２コーナーセグメントは上方に立ち上がるフランジに略直交して配置された第１および第２フランジ（２１，３１）を有し、前記フランジ（１１，２１，３１）が、屋根の突き出た構造物の細長い表面およびその関連するコーナー部分と係合するようになされていることを特徴とする請求項１乃至８のいずれか一項に記載のシート状雨押さえ部材。
【請求項１０】
屋根の上面と係合し得るようになされたスカート要素（５０）をさらに備えたことを特徴とする請求項９に記載のシート状雨押さえ部材。
【請求項１１】
第１コーナーセグメント（２０）が、その幅を横切り前記全体的な長手方向に略直交して配置されたしるし（２２）を有し、第２コーナーセグメント（３０）が、一部分（３７）を区画する第１および第２のしるし（３２，３４）と、前記全体的な長手方向に対して斜めに配置され前記一部分に接続された第３のしるし（３８）と、を有することを特徴とする請求項９または１０に記載のシート状雨押さえ部材。
【発明の詳細な説明】
【発明の概要】
【０００１】
本発明は、天窓または屋根窓のフレーム構造、あるいは同様の屋根の突き出た建造物に用いられるシート状雨押さえ部材に関する。
【０００２】
例えば、煙突や、天窓または屋根窓のフレーム構造のような屋根の突き出た建造物を、風雨から保護するとともに構造自体と屋根との間のシール（密閉または封水）をもたらすため、雨押さえ処理する場合、通常、金属またはＰＶＣのような強化プラスチック等の堅い材料や、とりわけシート状の金属からなる雨押さえカバーが用いられる。シート状の金属は、例えば、アルミニウム、銅、鋼、または亜鉛からなる。従来、このような雨押さえカバーは、月並みな作業者によって、所望の場所に適合するよう形作られ成形された平面シート状の材料から製造されている。
【０００３】
この従来の技能を用いる場合に必要とされる、比較的な高価な調節および組み立て作業は、予め製造された雨押さえ部材を用いることによって省略することができるだろう。これらの雨押さえ部材が、例えば、任意の屋根表面に取り付けられた標準的なタイプの窓に用いられる場合、傾いた屋根表面の傾斜のいかんを問わず、同様に「標準的な」雨押さえ部材を用いることが可能になる。
【０００４】
典型的には、例えば天窓または屋根窓と傾斜した屋根表面との間で用いられるようになされた雨押さえ組立体は、屋根表面と窓の上方および下方フレーム部分との間にそれぞれ水平状態で取り付けられるようになされた上方および下方雨押さえ部材と、窓の２つの側方フレーム部分と屋根表面との間に傾斜した状態で取り付けられるようになされた第１および第２側方雨押さえ部材と、を備えている。このような雨押さえ組立体は、側方雨押さえ部材と上方および下方雨押さえ部材との間におけるシールをもたらすようになされたコーナーセグメントをさらに備えている。このようなコーナーセグメントは、多くの場合、上方および下方雨押さえ部材あるいは側方雨押さえ部材と一体化されている。
【０００５】
しかしながら、例えば一つの窓が屋根表面に取り付けられているか、あるいは２つ以上の窓が隣り合う関係で取り付けられているかに依存し、「標準的」でないタイプの雨押さえ部材も存在する。この場合、２つの隣り合う窓の間におけるシールをもたらすため、特別な雨押さえ部材が用いられる。これに関連したさらなる問題は、異なる間隔で取り付けられた隣り合う窓に対して、異なる雨押さえ部材を提供しなければならないことである。例として、本出願人は、４つの異なる幅のこのような雨押さえ部材を売り出している。
【０００６】
ＤＫ−Ｂ１５４０９９は、とりわけ２つの隣り合う窓の間をシールするようになされた要素を備えた雨押さえ要素組立体を開示している。特に、窓の下方の隣り合うコーナー間におけるシールをもたらすため、２つの異なる下方雨押さえ部材が用いられている。
【０００７】
上方および下方雨押さえ部材は、天窓または屋根窓のフレームとそれを取り囲む傾斜した屋根表面との間のシールをもたらすといった同様の目的に本質的に役立つが、２つの雨押さえ部材は２つの大きく異なる方法によって機能を果たすようになされている。上方雨押さえ部材は、通常、上方窓フレーム上に据え付けられるようになされたフランジと、屋根表面下に据え付けられるようになされたシート状部分と、を有する雨樋状部材（a gutter-like member）として形成される。水が傾斜した屋根表面下に流れ込み上方雨押さえ部材上を流れる場合、雨樋は水を外方に誘導し側方雨押さえ部材からなる雨樋へ案内する。その一方で、下方雨押さえ部材は、窓と屋根との間に入り込んだ水が外方および／または下方に向けられて屋根の外表面上に誘導されるようにして、下方窓フレーム部分と屋根の上方表面との間におけるシールをもたらすようになされている。さらに、下方雨押さえ部材は、側方雨樋から下方へ導かれてくる水をそらすことにも役立つ。このことを理由として、下方雨押さえは、通常、窓と２つの側方雨押さえ部材とを足し合わせた幅よりもいくらか大きくなっている。追加分の幅は、側方雨樋から来た水をいずれかの側方に流すことを可能にするコーナーセグメントによってもたらされる。
【０００８】
上述したことから次のように、窓とそれを取り囲む屋根との間に用いられるようになされたコーナーセグメントは、通常互いに対し比較的に近接して配置される、２つの隣り合う窓間において用いられることに適していない。
【０００９】
本発明の目的は、標準化されコスト的に最適化された製品であって、異なる据え付け状態に容易に適応させることができ、不正確な取り付けの危険性、および屋根の突き出た構造とそれを取り囲む屋根との間の不十分なシールの危険性を実質的に減ずることができる製品をもたらすシート状の雨押さえ部材を提供することである。
【００１０】
この目的およびさらなる目的は、導入部分で述べた種類の雨押さえ部材の提供によって達成される。雨押さえ部材は、コーナーセグメントがその表面にパターンを表示する少なくとも一つのしるしを有し、シート状部分の少なくとも一部分が雨押さえ部材の残りの部分からしるしに沿って分離され得り、これにより、各コーナーセグメントを最初の状態から変形状態へ変形させるようになっていることによって特徴付けられる。
【００１１】
従来の技能によって任意の標準的な雨押さえ部材を所望の用途に適応させることも可能であるが、本発明においては、このような適応が、例えば、窓と取り込む屋根との間で用いられるのかあるいは２つの隣り合う窓間で用いられるのか等によってコーナーセグメントの２つの異なる形状を単に選択することにより、実行され得るようになっている。用語「選択」によって、コーナーセグメントが用途に適応するため容易に変形され得ることが示されている。
【００１２】
このようなしるしを有したコーナーセグメントを少なくとも一つもたらすことにより、単一の屋根の突き出た構造とともに用いられるのか、あるいは並んで据え付けられた複数の屋根の突き出た構造とともに用いられるのかのいかんに関わらず、まったく同一の雨押さえ部材が用いられ得る。
【００１３】
しるしは、少なくとも一つの細長く延びる線、あるいは細長く延びる点または短い線等の列の形式をとった視認可能なしるしを有するようにしてもよい。
【００１４】
好ましい実施の形態において、１つまたは複数のしるしは、弱められた部分を有する。好ましくは、弱められた部分は、雨押さえ要素用コーナーセグメントのシート状材料部分の表面に設けられた１つ以上の溝の形式をとっている。「表面に設けられた溝」との記載は、例えば溝によって本質的に構成される波形の材料とは異なり、明瞭に識別され得る溝を有した「溝の無い」領域を、実質的に定義することを意図していることに注意すべきである。溝構造は、複合の手助けとして、すなわち、「どこで分離するのか」のガイドおよび自らを分離するための手段（ツール）のためのガイドの両者として役立つ。シート状の雨押さえが、曲げ作用下において比較的容易に割れるとともに分離する材料からなる場合、ナイフまたは同様の道具によって溝に沿って材料を単に浅く切り込むだけで、容易に分離することができる。すなわち、浅く切り込み、その後、前後に折り曲げることにより、溝に沿って分離する。この操作を可能にするであろう適当な材料はアルミニウムであり、同様に、アルミニウムは伝統的に屋根の雨押さえ部材に用いられている。
【００１５】
上述した好ましい実施の形態のさらなる改良において、溝は単純なくぼみとして形成され、くぼみは切断および折り曲げ手順の一環としての製造中に有利に機能する。しかしながら、くぼみが盛り上がった部分間に形成されてもよいし、また、雨押さえ部材のいずれの側にも形成されてもよい。
【００１６】
特に好ましい実施の形態において、コーナーセグメントの一つが、雨押さえ部材の全体的な長手方向に対して傾いた角度で配置されたしるしを含む。傾いたしるしは、直接的または間接的にコーナーセグメントの自由縁部に接続され得る。傾いたしるしは、コーナーセグメントが、例えば天窓や屋根窓のコーナー部分に対応して配置されることを可能にする。
【００１７】
雨押さえ部材は下方雨押さえ部材として有利に用いられるが、本発明の原理は、適応自在なコーナーセグメントを与えるため、上方雨押さえ部材および側方雨押さえ部材に用いられ得る。
【００１８】
本願において、「上方」および「下方」、並びに「垂直」および「水平」という用語が用いられた場合、これらの用語は取り付けられた（据え付けられた）状態における構造に言及している。しかしながら、当業者には、雨押さえ部材それ自体に対しても同様に明白だろう。「左」および「右」という用語は、単に、図に示された状態に言及しているに過ぎない。
【００１９】
本発明の他の目的および利点は、以下の記載を検討することにより明白に理解されるだろう。以下の記載において、本発明が概略図を参照してより詳しく説明される。
【発明を実施するための形態】
【００２０】
以下、図１乃至図３を参照し、本発明による雨押さえ部材の好ましい実施の形態について説明する。
【００２１】
図１は、屋根（図示せず）の表面と窓（図示せず）の下方フレーム部分との間における水平な位置に取り付けられるようになされた下方雨押さえ部材を示している。窓は、底部と隣接する２つの側部とを有している。雨押さえ部材は、窓フレームの下方部分と係合するようになされ全体的に４０で示されているレール要素（a rail element）と、レール要素４０の下方縁部に取り付けられ、屋根の上表面に係合するようになされたスカート要素５０と、を備えている。レール要素４０は、主部分１０と、略同一平面上に配置され屋根の全体的な傾斜と平行に取り付けられるようになされた左コーナーセグメント２０および右コーナーセグメント３０と、を有したシート状部分を有している。主部分１０は、窓フレーム底部の外方に向いた表面と係合するようになされ上方に立ち上がる下方フランジ１１を有している。コーナーセグメントは、窓フレーム側部の外方に向いた表面の下方部分とそれぞれ係合するようになされた左コーナーフランジ２１および右コーナーフランジ３１を有している。示された実施の形態において、窓フレーム底部の上方に向いた表面と係合するために上部フランジ１２が設けられている。
【００２２】
レール要素４０は、シート状金属（金属板）あるいは相応する工業技術的特性を有する他のいずれかの適切な材料から構成され得る。
【００２３】
上述した特徴を有するとともに図１に示されているような全体的輪郭を有する雨押さえ部材は、屋根表面に独立して取り付けられた天窓または屋根窓との組み合わせにおいて用いられるように構成されている。
【００２４】
しかしながら、本発明に対応して、雨押さえ部材１のコーナーセグメント２０，３０には、右側または左側に隣り合うあるいは両側に隣り合う下方雨押さえ部材との組み合わせおいて用いられるよう、それらが変形されることを可能にする手段が設けられている。隣り合う天窓または屋根窓を互いに対して比較的に近接して配置することは、通常望ましいが、標準の雨押さえ部材を用いることに都合が悪くなる。標準の雨押さえ部材は、窓と屋根との間で用いられることに予め適応させられており、互いに組み合わせられる場合、窓間において非常に大きな雨押さえをもたらすだろう。
【００２５】
したがって、上述した一般的なタイプの下方雨押さえ部材を用いる場合、隣り合うコーナーセグメントは変形されなければならないだろう。すなわち、並んで配置されたある任意の一対の窓に対し、隣り合う雨押さえ部材の左コーナーセグメントおよび右コーナーセグメントは、２つの窓の間に適合するように変形されなければならないだろう。さらに、シール機能を適切にもたらすためには、好ましくは、変形されたコーナーセグメントの少なくとも一つに、隣り合う窓の両方に係合するフランジが設けられているべきである。
【００２６】
したがって、雨押さえ部材１のコーナーセグメント２０，３０に、これらを所望の用途に容易かつ確実に適応させることができる追加の手段が設けられている。示されているように、コーナーセグメント２０，３０の各々に、一つ以上のしるしからなるパターン（模様、線模様）が設けられている。図示された本実施の形態においては、しるしは、スタンプされた溝（stamped grooves）の形式をとっている。溝は、導入部分において記載したように、分離のためのガイドおよび分離の手助けの両者をもたらす。
【００２７】
各しるしは、それだけで視認可能なしるしとしてもたらされてもよい。しかしながら、しるしは、例えば上述したように溝の形式をとった、弱められた部分（弱体化された部分、強度を落とされた部分）を有していることが好ましい。代わりの実施の形態（図示せず）として、弱められた部分が、コーナーセグメント内に設置または収容され細長く延びるひも状部材（a longitudinally extending cord member）を有するようにしてもよい。（請求項６）これは、例えば食品用容器（缶）やビスケット収納袋等に関連して用いられている原理に事実上相当する。
【００２８】
さらに具体的には、示された実施の形態においては、左側のコーナーセグメント２０に、レール要素４０の下方縁部１３に略直交する一つの溝２２が設けられている。溝２２は、左側のコーナーセグメント２０の上方縁部２３と下方縁部１３との間を全幅にわたって延びきっている。この態様においては、左側のコーナーセグメント２０は２つの部分に分割され得り、最も左側の部分２６が取り除かれ得るようになっている。スカート要素５０が設けられている場合、最も左側の部分２６が単純に、スカート部分とレール要素４０との取付部分においてスカート部分から取り除かれ、あるいは、スカート要素５０が溝２２の延長上に相当する線に沿って切断され得るようにしてもよい。
【００２９】
図示された実施の形態においては、右側のコーナーセグメント３０に、溝の形式をとったしるしのいくらか複雑なパターンが設けられている。溝は、コーナーセグメント３０が、隣の天窓または屋根窓のコーナー部分と係合することができるようコーナーに係合するフランジが多数設けられる形状となることを可能にしている。図示されているように、右側のコーナーセグメント３０は、上方の自由縁部３３から延びる第１の溝３２と、側方の自由縁部３５から延びる第２の溝３４と、を有している。２つの溝３３，３４は、互いに対して略直交して配置されており、角部３６で交わり、これにより、略矩形の部分３７が区画される。以下にさらに詳しく記載するよう、上述した最も左側の部分２６の取り除きと対応して、略矩形の部分３７は取り除かれ得る。角部３６から始まり、例えばレール要素４０の下方縁部１３に向けて４５°の角度で延び、斜めに配置された溝３８が設けられている。矩形部分３７が取り除かれた場合、右側のコーナーセグメントの残りの部分は、傾斜した溝３８に沿って分離され得る（裂かれ得る）。
【００３０】
図２および図３を参照し、近接して並んだ関係で取り付けられた（据え付けられた）一対の窓に対して用いられるコーナーセグメントであって、対応して適度に適合する一組のコーナーセグメントを提供するため、図１を参照して説明されたようにそれぞれ構成され、対になった２つの下方雨押さえ部材が、どのようにして変形させられるかについて説明する。図示された例において、このことは、左側に取り付けられた下方雨押さえ部材の右側のコーナーセグメントが、対応して適応させられ右側に取り付けられた下方雨押さえ部材の左側のコーナーセグメントと適度に適合するように適応されることを、意味している。以下において、それぞれ１００、２００を加えられた同様の参照番号が、図１のような２つの雨押さえ部材に対して同様の構成を表示するために用いられる。
【００３１】
溝を用いた分離動作に関し、好ましくは、この工程は、上述したように、すなわち、ナイフまたは同様の道具を用いて浅く切り込み前後に何度か折り曲げた後に行われ、裂け目が略溝に沿って発生する。
【００３２】
図２に、フレーム３０１を有した第１の最も左側の窓３００と、フレーム４０１を有した第２の最も右側の窓４００と、を有する一対の天窓または屋根窓が部分的に示されている。窓は、各窓フレームの隣り合う側部間に所定の距離をあけて、傾斜した屋根表面に取り付けられている。下方雨押さえ部材は、この所定の距離に適合するように構成されている。第１の最も左側の下方雨押さえ部材１０１は、主部分１１０と右側のコーナーセグメントとを有したレール要素１４０を有している。主部分１１０は上方に立ち上がった下方フランジ１１１を有しており、右側のコーナーセグメントはフランジ１３１（視認できない）を有している。フランジ１１１およびフランジ１３１は上部フランジ１１２によって連結されている。視認することができるように、雨押さえ部材１０１は屋根と同一平面上であって第１の窓３００の周囲に配置されている。フランジ１１１，１３１，１１２は窓のフレーム３０１と係合している。図１に示された構成と比較すると、矩形部分３７が取り除かれ、コーナーセグメント３０が傾斜した溝３８に沿って分割され（裂かれ）、溝の各側部に対応する自由縁部１３２，１３４，１３８ａ，１３８ｂが形成されている。右側のコーナーセグメント１３０の縁部部分は、自由縁部１３４，１３２と略平行に延びる（点および短線（dot and dash）によって示された）線に沿って折り曲げられており、これにより、コーナーセグメント１３０の全体的な面に略直交して延びる二次的な第１および第２のフランジ１４１，１４２がもたらされている。第１のコーナーフランジ１４１は、右側の窓フレームの底部の外方に向いた表面４２０の下方部分と係合している。第２のコーナーフランジ１４２は、右側の窓フレームの側部の外方に向いた表面４１０の部分と係合している。
【００３３】
図３は、図２に示すように、最も左側の下方雨押さえ部材１０１の一部分とともに、一対の窓を部分的に示しているが、主部分２１０と左側のコーナーセグメント２２０とを有したレール要素２４０を有する第２の最も右側の下方雨押さえ部材２０１が加えられている。主部分２１０は上方に立ち上がった下方フランジ２１１を有するとともに、左側のコーナーセグメント２２０はフランジ２２１を有し、フランジ間が上部フランジ２１２によって連結されている。図１に対応して、左側のコーナーセグメント２０は溝２２に沿って分離され（裂かれ）、最も左側の部分２６は対応するレール要素２５０の一部とともに取り除かれており、これにより、対応する自由縁部１２２が形成されている。視認することができるように、第２の雨押さえ部材２０１は屋根および第１の雨押さえ部材１０１と略同一平面上であって第２の窓４００の周囲に配置されている。フランジ２１１，２２１，２１２は窓のフレーム４０１と係合している。この態様において、コーナーフランジ１４１，１４２（図２を見よ）は第２の雨押さえ部材によって覆われ、改めて、それぞれ第２フレーム４０１とフランジ２１１との間および第２フレーム４０１とフランジ２２１との間に配置されるようになる。２つの窓３００，４００の間の領域において、左手の雨押さえ部材１０１の右側のコーナーセグメント１３０の大部分およびスカート要素１５０の対応する部分が、左側のコーナーセグメント２２０およびスカート要素２５０の対応する部分によって覆われている。自由縁部１２２は第１の雨押さえ部材１０１のフランジ１３１（図２を見よ）に沿って配置されている。
【００３４】
上述したことから次のように、「自分で行う（do it yourself）」人が容易かつ失敗を避けながら（fail proof）２つの雨押さえ部材のコーナーセグメントを変形することができ、これにより、単一のタイプの下方雨押さえ部材を用いながら並んだ関係で配置された一対の天窓または屋根窓に適合させることができる雨押さえ部材がもたらされる。
【００３５】
本発明がその好ましい実施の形態について説明されてきたが、様々な変更および変形が当業者に提案され、添付の特許請求の範囲内に含まれるこのような変更および変形を包含することを意図していることが理解されるだろう。例えば、示された実施の形態において、各端部に異なるコーナーセグメントを有する下方雨押さえ部材が図示されているが、本発明によれば、雨押さえ部材が同様に上方雨押さえ部材または側方雨押さえ部材の形式をとってもよい。同時に、雨押さえ部材が適応自在なコーナーセグメントを一方または両方の端部に設けられてもよく、後者の場合、全く同じコーナーセグメントまたは異なるコーナーセグメントを有するようにしてもよい。さらに、示された実施の形態において、隣り合う天窓または屋根窓間の一つの所定間隔に対してのしるしのパターンが示されている。しかしながら、例えば、窓フレームの間隔等の２つ以上の識別可能な候補から使用者が選択することができるように多数のしるしを設けることも本発明の範囲内である。
【図面の簡単な説明】
【００３６】
【図１】下方雨押さえ部材を上方から示す図。
【図２】一対の天窓または屋根窓を、これらの間に配置された第１の最も左側の下方雨押さえ部材とともに、部分的に示す斜視図。
【図３】天窓または屋根窓および図２の雨押さえ部材を、取り付けられた第２の最も右側の下方雨押さえ部材とともに示す斜視図。
【図１】
2006509936.tif 000003
【図２】
2006509936.tif 000004
【図３】
2006509936.tif 000005
【手続補正書】
【提出日】平成16年6月18日(2004.6.18)
【手続補正１】
【補正対象書類名】明細書
【補正対象項目名】０００８
【補正方法】変更
【補正の内容】
【０００８】
上述したことから次のように、窓とそれを取り囲む屋根との間に用いられるようになされたコーナーセグメントは、通常互いに対し比較的に近接して配置される、２つの隣り合う窓間において用いられることに適していない。
ＷＯ９９／２７２１１は、近接して並んで配置された天窓または屋根窓の間で用いられる雨押さえ要素について記載している。この要素は、シート状の材料からなる略矩形状部材から構成され、２つの窓に対面する各側部に２つの切り込みが設けられている。切り込みは、側部の一部分が折り畳まれてフラップを形成することを可能にする。そして、フラップは窓の側方表面に取り付けられる。その一方で、要素の残りの部分は屋根と略同一平面上にある。しかしながら、同一の要素の異なる据え付け状態に対する使用可能性について記載されていない。
ＥＰ−Ａ−０３１６６５５は、柔軟性のあるシート状ブランクから折り畳まれた雨押さえ部材について記載している。ブランクに、折り畳みを容易にするための弱められた線が設けられ、また、コーナー部分またはフラップを突出させることを可能にする切り込みが設けられることもある。そのものを折り畳むことの要点は、確実な水密性を有する雨押さえ部材が安価に保管および輸送することができる平坦なブランクから得られ得る、ことである。そのものに切り込みを形成することが言及されているが、どこに切り込みを形成するかのしるしについての言及はない。


【手続補正書】
【提出日】平成16年10月26日(2004.10.26)
【手続補正１】
【補正対象書類名】特許請求の範囲
【補正対象項目名】全文
【補正方法】変更
【補正の内容】
【特許請求の範囲】
【請求項１】
平面を形成するシート状部分（４０）であって、屋根の突き出た構造の一部分に沿って延びる主部分（１０）と、屋根の突き出た構造の他の部分に沿い主部分に対して直交して延びる第１コーナーセグメント（２０）および第２コーナーセグメント（３０）と、を有するシート状部分（４０）と、
シート状部分の平面に対して傾斜して配置され、屋根の突き出た建造物の表面と係合するようになされる少なくとも一つのフランジ（１１，２１）と、を備えたシート状雨押さえ部材（１）であって、
前記コーナーセグメントの少なくとも一つが、その表面に、パターンを表示する少なくとも一つのしるし（２２，３２，３４，３８）を有し、シート状部分の少なくとも一部分がしるしに沿って雨押さえ部材の他の部分から分離され得り、これにより、各コーナーセグメントを最初の状態から変形状態へ変形させるようになっていることを特徴とするシート状雨押さえ部材。
【請求項２】
前記しるし（２２，３２，３４，３８）の各々が、少なくとも一つの細長く延びる線、あるいは細長く延びる点、短い線等の列の形式をとった視認可能なしるしを有することを特徴とする請求項１に記載のシート状雨押さえ部材。
【請求項３】
前記しるし（２２，３２，３４，３８）の各々が、弱められた部分を有することを特徴とする請求項１に記載のシート状雨押さえ部材。
【請求項４】
前記弱められた部分は少なくとも一つの溝を含むことを特徴とする請求項３に記載のシート状雨押さえ部材。
【請求項５】
前記溝がくぼみによって形成されることを特徴とする請求項４に記載のシート状雨押さえ部材。
【請求項６】
前記弱められた部分は、コーナーセグメント（２０，３０）内に設置され細長く延びるひも状部材を有することを特徴とする請求項３に記載のシート状雨押さえ部材。
【請求項７】
パターンが、端部部分（２０，３０）の領域（２６，３７）を区画する一つ以上のしるしを形成し、これにより、分離が行われる場合に端部部分（２０，３０）が取り除かれ得ることを特徴とする請求項１乃至６のいずれか一項に記載のシート状雨押さえ部材。
【請求項８】
シート状部分（４０）は全体的な長手方向を有し、パターンがこの全体的な長手方向に対して斜めに配置された少なくとも一つのしるし（３８）を形成し、傾斜したしるしはシート状部分の自由縁部（３３，３５）に直接的にまたは間接的に接続されていることを特徴とする請求項１乃至７のいずれか一項に記載のシート状雨押さえ部材。
【請求項９】
シート状部分（４０）は主部分（１０）を有し、第１および第２端部部分は第１および第２コーナーセグメント（２０，３０）を形成し、主部分は上方に立ち上がるフランジ（１１）を有し、第１および第２コーナーセグメントは上方に立ち上がるフランジに略直交して配置された第１および第２フランジ（２１，３１）を有し、前記フランジ（１１，２１，３１）が、屋根の突き出た構造物の細長い表面およびその関連するコーナー部分と係合するようになされていることを特徴とする請求項１乃至８のいずれか一項に記載のシート状雨押さえ部材。
【請求項１０】
屋根の上面と係合し得るようになされたスカート要素（５０）をさらに備えたことを特徴とする請求項９に記載のシート状雨押さえ部材。
【請求項１１】
第１コーナーセグメント（２０）が、その幅を横切り前記全体的な長手方向に略直交して配置されたしるし（２２）を有し、第２コーナーセグメント（３０）が、一部分（３７）を区画する第１および第２のしるし（３２，３４）と、前記全体的な長手方向に対して斜めに配置され前記一部分に接続された第３のしるし（３８）と、を有することを特徴とする請求項９または１０に記載のシート状雨押さえ部材。
【国際調査報告】
2006509936.tif 000006
2006509936.tif 000007
2006509936.tif 000008